(57)【要約】【課題】患者本人の服薬管理能力が低い場合でも、服薬カレンダーの利点を生かしつつ患者以外の者が服薬管理を適切に補助できる服薬カレンダー用収容ボックスを提供する。【解決手段】服薬カレンダー用収容ボックスは、服薬カレンダーを収容可能な凹部１１ｃを有する木製の第１容器１１、並びに、服薬カレンダーを収容可能な凹部１２ｃを有する木製の第２容器１２と、第１容器と第２容器を開閉自在に繋ぎ合わせる連結手段１３と、第１容器１１と第２容器１２が閉じた状態で各々を開けられないようにするための錠手段１４と、第１容器１１の凹部１１ｃと第２容器１２の凹部１２ｃそれぞれに服薬カレンダーを着脱自在に吊り下げるための吊り下げ手段１５とを備えている。【選択図】図１
2017121399.tif 000002
【特許請求の範囲】
【請求項１】
服薬曜日と曜日毎の服薬タイミングとが視認できるように薬が配置された服薬カレンダーを収容して服薬管理を補助するための服薬カレンダー用収容ボックスであって、
前記服薬カレンダーを収容可能な凹部を有する木製の第１容器、並びに、前記服薬カレンダーを収容可能な凹部を有する木製の第２容器と、
前記第１容器と前記第２容器を開閉自在に繋ぎ合わせ、前記第１容器と前記第２容器が閉じた状態で前記第１容器の凹部と前記第２容器の凹部それぞれが互いに閉塞されるように、また、前記第１容器と前記第２容器が開いた状態で前記第１容器の凹部と前記第２容器の凹部それぞれが開放されるように構成する連結手段と、
前記第１容器と前記第２容器が閉じた状態で前記第１容器と前記第２容器を開けられないようにするための錠手段と、
前記第１容器の凹部と前記第２容器の凹部それぞれに前記服薬カレンダーを着脱自在に吊り下げるための吊り下げ手段とを備えている、
服薬カレンダー用収容ボックス。
【請求項２】
前記錠手段は、前記第１容器と前記第２容器の一方に設けられた回転自在で進退自在なネジ部を有する錠本体と、前記第１容器と前記第２容器の他方に設けられ前記ネジ部をねじ込み可能なネジ穴を有する受け金具とを備えている、
請求項１に記載の服薬カレンダー用収容ボックス。
【請求項３】
前記吊り下げ手段は、前記凹部の内面に着脱自在に取り付けられたネジ付きフックである、
請求項１又は２に記載の服薬カレンダー用収容ボックス。
【請求項４】
前記吊り下げ手段は、前記凹部の内面に取り付けられたレール部品と、前記レール部品に該レール部品に沿って移動自在に設けられたフック付きのスライド部品とを備えている、
請求項１又は２に記載の服薬カレンダー用収容ボックス。
【請求項５】
前記吊り下げ手段は、長孔を有し一端にフックを有する可動プレートと、前記長孔に挿入された状態で前記可動プレートを前記凹部の内面に取り付けるためのネジ部品とを備えており、前記ネジ部品を緩めることによって前記可動プレートの位置及び向きを変更できるように構成されている、
請求項１又は２に記載の服薬カレンダー用収容ボックス。
【請求項６】
前記第１容器と前記第２容器が閉じた状態で前記第１容器の凹部と前記第２容器の凹部それぞれに挿入可能な、服薬カレンダー保持用の弾性保持板と、
前記弾性保持板を前記第１容器と前記第２容器の少なくとも一方に回転自在に繋ぎ、前記第１容器と前記第２容器が閉じた状態で前記第１容器の凹部と前記第２容器の凹部それぞれに前記弾性保持板が挿入されるように、また、前記第１容器と前記第２容器が開いた状態で前記第１容器の凹部と前記第２容器の凹部の一方に前記弾性保持板を挿入できるように構成する第２の連結手段とをさらに備えている、
請求項１〜５の何れか１項に記載の服薬カレンダー用収容ボックス。
【発明の詳細な説明】
【技術分野】
【０００１】
本発明は、服薬曜日と曜日毎の服薬タイミングとが視認できるように薬が配置された服薬カレンダーを収容して服薬管理を補助するための服薬カレンダー用収容ボックスに関する。
【背景技術】
【０００２】
近年において使用が増加している服薬カレンダーは、服薬忘れや服薬間違いを防ぐ手段として有用である（後記特許文献１及び後記特許文献２を参照）。なお、各社から市販されている服薬カレンダー（薬が配置される前のもの）は、一般に、１週間分（日曜日から土曜日）の服薬曜日が縦長に表示され、あさ、ひる、よる、ねる前等の服薬タイミングが横長に表示されており、服薬曜日と服薬タイミングとの交差位置それぞれに薬配置部が設けられている（例えば図２（Ａ）を参照）。
【０００３】
市販の服薬カレンダーへの薬の配置は原則的には薬剤師の仕事であり、当該薬剤師は、医師が交付した処方箋に基づいて服薬曜日と服薬タイミングに応じた薬を服薬カレンダーの各薬配置部に配置し、薬が配置された後の服薬カレンダーを患者本人又は家族に手渡しする。また、患者本人が介護施設に居るときには、薬が配置された後の服薬カレンダーが介護福祉士又はホームヘルパーに手渡しされることもある。なお、薬が配置された後の服薬カレンダーは、自宅や介護施設において患者が食事をとる場所又はこれに近い別の場所等に設置される。
【０００４】
ところで、患者本人の服薬管理能力が低い場合、例えば患者本人が高齢である場合や認知症を患っている場合等にあっては、服薬カレンダーに配置されている薬を服薬タイミングに拘わらずに続けて服用してしまう、所謂重ね飲みが問題視されている。薬の種類によってはこの重ね飲みによって患者の身体に異常を生じる危険や患者が意識不明の重体に陥る危険等があるため、服薬管理能力が低い患者に対しては患者以外の者（家族、介護福祉士又はホームヘルパー）に服薬管理の補助を委ねる必要が生じる。
【先行技術文献】
【特許文献】
【０００５】
【特許文献１】特開２００１−２５８９９９号公報
【特許文献２】登録実用新案第３１９７０７５号公報
【発明の概要】
【発明が解決しようとする課題】
【０００６】
本発明の課題は、患者本人の服薬管理能力が低い場合でも、服薬カレンダーの利点を生かしつつ患者以外の者が服薬管理を適切に補助できる服薬カレンダー用収容ボックスを提供することにある。
【課題を解決するための手段】
【０００７】
前記課題を解決するため、本発明に係る服薬カレンダー用収容ボックスは、服薬曜日と曜日毎の服薬タイミングとが視認できるように薬が配置された服薬カレンダーを収容して服薬管理を補助するための服薬カレンダー用収容ボックスであって、前記服薬カレンダーを収容可能な凹部を有する木製の第１容器、並びに、前記服薬カレンダーを収容可能な凹部を有する木製の第２容器と、前記第１容器と前記第２容器を開閉自在に繋ぎ合わせ、前記第１容器と前記第２容器が閉じた状態で前記第１容器の凹部と前記第２容器の凹部それぞれが互いに閉塞されるように、また、前記第１容器と前記第２容器が開いた状態で前記第１容器の凹部と前記第２容器の凹部それぞれが開放されるように構成する連結手段と、前記第１容器と前記第２容器が閉じた状態で前記第１容器と前記第２容器を開けられないようにするための錠手段と、前記第１容器の凹部と前記第２容器の凹部それぞれに前記服薬カレンダーを着脱自在に吊り下げるための吊り下げ手段とを備えている。
【発明の効果】
【０００８】
本発明によれば、患者本人の服薬管理能力が低い場合でも、服薬カレンダーの利点を生かしつつ患者以外の者が服薬管理を適切に補助できる服薬カレンダー用収容ボックスを提供することができる。
【図面の簡単な説明】
【０００９】
【図１】図１（Ａ）は本発明を適用した服薬カレンダー用収容ボックスの正面図、図１（Ｂ）は図１（Ａ）の右側面図、図１（Ｃ）は図１（Ａ）に示した服薬カレンダー用収容ボックスを開いた状態を示す正面図である。
【図２】図２（Ａ）と図２（Ｂ）と図２（Ｃ）それぞれは図１に示した服薬カレンダー用収容ボックスに収容可能な服薬カレンダーの例を示す図である。
【図３】図３は図１に示した服薬カレンダー用収容ボックスの使用方法を説明するための図１（Ｃ）対応図である。
【図４】図４（Ａ）は図１に示した服薬カレンダー用収容ボックスの第１変形例を示す図１（Ｃ）対応の部分図、図４（Ｂ）は図４（Ａ）に示した吊り下げ手段の縦断面図である。
【図５】図５（Ａ）は図１に示した服薬カレンダー用収容ボックスの第２変形例を示す図１（Ｃ）対応の部分図、図５（Ｂ）と図５（Ｃ）それぞれは図５（Ａ）に示した吊り下げ手段の縦断面図である。
【図６】図６（Ａ）は図１に示した服薬カレンダー用収容ボックスの第３変形例を示す図１（Ｃ）対応図、図６（Ｂ）と図６（Ｃ）それぞれは図６（Ａ）に示した弾性保持板の取付構造及び機能を説明するための部分横断面図である。
【発明を実施するための形態】
【００１０】
先ず、図１を用いて、本発明を適用した服薬カレンダー用収容ボックス１０（以下、単に収容ボックス１０と言う）について説明する。
【００１１】
図１に示したように、収容ボックス１０は、第１容器１１と、第２容器１２と、連結手段１３と、錠手段１４と、吊り下げ手段１５とを備えている。この収容ボックス１０は、第１容器１１と第２容器１２が閉じた状態（図１（Ａ）及び図１（Ｂ）を参照）の形状が高さＨ、幅Ｗ及び奥行きＤを有する略直方体状となっている。
【００１２】
第１容器１１は、矩形板部１１ａの一面の周囲に矩形枠部１１ｂを一体に有するような態様を成し、矩形枠部１１ｂの内側に略矩形輪郭の凹部１１ｃを有している。一方、第２容器１２は、第１容器１１と同様、矩形板部１２ａの一面の周囲に矩形枠部１２ｂを一体に有するような態様を成し、矩形枠部１２ｂの内側に略矩形輪郭の凹部１２ｃを有している。第１容器１１と第２容器１２それぞれの高さはＨ、幅はＷであり、第１容器１１の奥行きＤ１１と第２容器１２の奥行きＤ１２は略同じである。また、第１容器１１の凹部１１ｃの高さＨ１１ｃと幅Ｗ１１ｃと深さはＤ１１ｃそれぞれは、第２容器１２の凹部１２ｃの高さＨ１２ｃと幅Ｗ１２ｃと深さＤ１２ｃそれぞれと略同じである。なお、第１容器１１の矩形枠部１１ｂの一部の幅と第２容器１２の矩形枠部１２ｂの一部の幅は後記錠手段１４を取り付けるために多少広くなっているため、凹部１１ｃの幅Ｗ１１ｃと凹部１２ｃの幅Ｗ１２ｃそれぞれは最大幅を示す。
【００１３】
収容ボックス１０を作製するときの利便性を考慮すると、第１容器１１の形状と第２容器１２の形状を同じくすることが好ましく、このようにすれば単一の容器を第１容器１１と第２容器１２とで兼用できる。また、第１容器１１の凹部１１ｃの寸法（高さＨ１１ｃ、幅Ｗ１１ｃ及び深さＤ１１ｃ）と第２容器１２の凹部１２ｃの寸法（高さＨ１２ｃ、幅Ｗ１２ｃ及び深さＤ１２ｃ）は、凹部１１ｃ及び凹部１２ｃそれぞれに収容される後記服薬カレンダー（図２を参照）の最大寸法に見合うように設定されている。
【００１４】
第１容器１１と第２容器１２において肝要な点は、両者が木材から形成されていることにある。この木材には特段の材質制限はなく、単板と合板の別も問わないが、耐久性と加工性が良いものが好ましく使用できる。第１容器１１と第２容器１２それぞれを木製とした理由は、耐破壊性を考慮した点と、後記吊り下げ手段１５の取り付けとその位置変更を考慮した点にある。第１容器１１と第２容器１２それぞれを木材から形成する場合の好ましい作製方法としては、矩形平板の一面の周囲に４本の四角材を木ネジによって取り付ける方法を挙げることができる。この場合、矩形平板の厚さを１０ｍｍ以上とし、四角材の幅と厚さを１０ｍｍ以上とすれば、耐破壊性を十分に確保できるし、後記吊り下げ手段１５の取り付けとその位置変更にも特段支障を生じない。
【００１５】
連結手段１３は、第１容器１１と第２容器１２を開閉自在に繋ぎ合わせ、第１容器１１と第２容器１２が閉じた状態で凹部１１ｃと凹部１２ｃそれぞれが互いに閉塞されるように、また、第１容器１１と第２容器１２が開いた状態で凹部１１ｃと凹部１２ｃそれぞれが開放されるように構成するためのものであり、当該連結手段１３としては、図１に示したような蝶番（以下、蝶番１３とも言う）を用いることが好ましい。図１にあっては収容ボックス１０の右側面に２個の蝶番１３が高さ方向に間隔をおいて設けられており、各々の一方の蝶番片が第１容器１１の幅方向右面に木ネジ（符号無し）によって取り付けられ、他方の蝶番片が第２容器１２の幅方向右面に木ネジ（符号無し）によって取り付けられている。
【００１６】
錠手段１４は、第１容器１１と第２容器１２が閉じた状態で第１容器１１と第２容器１２を開けられないようにするためのものであり、当該錠手段１４としては、回転自在で進退自在なネジ部１４ａ２を有する錠本体１４ａと、錠本体１４ａのネジ部１４ａ２をねじ込み可能なネジ穴１４ｂ１を有する受け金具１４ｂとを備えた錠、具体的には図１に示したようなシリンダー外縛り錠（以下、シリンダー外縛り錠１４とも言う）を用いることが好ましい。図１にあっては収容ボックス１０の左側面の高さ方向中央に近接する位置にシリンダー外縛り錠１４が設けられており、錠本体１４ａは第１容器１１に木ネジ（符号無し）によって取り付けられ、錠本体１４ａと対をなす受け金具１４ｂは第２容器１２に木ネジ（符号無し）によって取り付けられている。錠本体１４ａは、専用鍵（図示省略）を挿入可能な鍵穴１４ａ１と、鍵穴１４ａ１に挿入された鍵によって回転と進退ができるネジ部１４ａ２を有しており、一方、受け金具１４ｂは、錠本体１４ａのネジ部１４ａ２をねじ込み可能なネジ穴１４ｂ１を有している。即ち、第１容器１１と第２容器１２が閉じた状態（図１（Ａ）及び図１（Ｂ）を参照）で錠本体１４ａの鍵穴１４ａ１に鍵を差し込んでネジ部１４ａ２を左右一方に回しながら押し込んで、ネジ部１４ａ２を受け金具１４ｂのネジ穴１４ｂ１にねじ込む施錠操作を施すことにより、第１容器１１と第２容器１２は開けられないようになる。また、施錠操作後において錠本体１４ａの鍵穴１４ａ１に鍵を差し込んでネジ部１４ａ２を左右他方に回しながら引き抜いて、ネジ部１４ａ２を受け金具１４ｂのネジ穴１４ｂ１から抜き出す解錠操作を施すことにより、第１容器１１と第２容器１２は開けられるようになる。
【００１７】
吊り下げ手段１５は、第１容器１１の凹部１１ｃと第２容器１２の凹部１２ｃそれぞれに後記服薬カレンダー（図２を参照）を着脱自在に吊り下げるためのものであり、当該吊り下げ手段１５としては図１に示したようなネジ付きフック（以下、ネジ付きフック１５とも言う）を用いることが好ましい。図１にあっては２個のネジ付きフック１５が第１容器１１の凹部１１ｃの内面の上部に幅方向に間隔をおいて取り付けられ、また、２個のネジ付きフック１５が第２容器１２の凹部１２ｃの内面の上部に幅方向に間隔をおいて取り付けられている。各ネジ付きフック１５の取り付けは、各々のネジ部を凹部１１ｃ及び凹部１２ｃそれぞれの内面にねじ込むことによって為されている。第１容器１１と第２容器１２が何れも木製であるため、各ネジ付きフック１５の取り付けは勿論のこと、各ネジ付きフック１５の取り付け位置の変更を簡単に行うことができる。なお、ネジ付きフック１５のフック部分の形状はＬ字形の他、Ｃ字形やコ字形等の他の形状であっても良い。
【００１８】
次に、図２を用いて、前記収容ボックス１０に収容可能な服薬カレンダー２０-1、２０-2及び２０-3の例について説明する。なお、図２に例示した３種類の服薬カレンダー２０-1、２０-2及び２０-3は市販の服薬カレンダーの態様の理解を図るために描いたものであって、前記収容ボックス１０に収容可能な服薬カレンダーの態様を制限するものでない。
【００１９】
図２（Ａ）に例示した服薬カレンダー２０-1は、合成樹脂シートや厚紙等から成る矩形状のカレンダー本体２１と、カレンダー本体２１の一面の上部に設けられた氏名欄２２ａと、カレンダー本体２１の一面の左部に縦長に設けられた曜日欄２２ｂと、氏名欄２２ａの下に横長に設けられた服薬タイミング欄２２ｃと、氏名欄２２ａの右に設けられた期間欄２２ｄとを有している。氏名欄２２ａには患者の氏名が表示され、曜日欄２２ｂには１週間分（日曜日から土曜日）の服薬曜日が表示され、服薬タイミング欄２２ｃにはあさ、ひる、よる、ねる前等の服薬タイミングが表示され、期間欄２２ｄには１週間に対応する日付が１月１０日〜１月１６日のように表示されている。また、服薬曜日と服薬タイミングとの交差位置それぞれには、透明フィルムによって形成された袋状の薬配置部２３が設けられている。さらに、カレンダー本体２１の一面の上部には、２個の吊り下げ穴２４が左右方向に間隔をおいて設けられている。
【００２０】
図２（Ｂ）に例示した服薬カレンダー２０-2は、図２（Ａ）に例示した服薬カレンダー２０-1の吊り下げ穴２４の代わりに、吊り下げ紐２５が設けられているものである。また、図２（Ｃ）に例示した服薬カレンダー２０-3は、図２（Ａ）に例示した服薬カレンダー２０-1の吊り下げ穴２４の代わりに、吊り下げ穴２６ａ付きの吊り下げ片２６が設けられているものである。
【００２１】
図２に例示した服薬カレンダー２０-1、２０-2及び２０-3の氏名欄２２ａと曜日欄２２ｂと服薬タイミング欄２２ｃと期間欄２２ｄそれぞれへの表示は直接手書きしても良いが、曜日欄２２ｂに表示される曜日（日曜日から土曜日）は不変であるときにはカレンダー本体２１に直接印刷されていても良い。また、使用済みの服薬カレンダー２０-1、２０-2及び２０-3を再利用できるように、氏名が印刷又は手書きされた粘着シールを氏名欄２２ａに貼り付けるようにしても良く、服薬タイミングが印刷又は手書きされた粘着シールを服薬タイミング欄２２ｃに貼り付けるようにしても良く、期間が印刷又は手書きされた粘着シールを期間欄２２ｄに貼り付けるようにしても良い。なお、服薬曜日と服薬タイミングが表示されていれば服薬カレンダーとしての用は為すため、氏名欄２２ａと期間欄２２ｄは必ずしも必要なものではない。
【００２２】
次に、図１〜図３を適宜用いて、前記収容ボックス１０の使用方法について説明する。
【００２３】
前記収容ボックス１０は、自宅や介護施設において患者が食事をとる場所又はこれに近い別の場所等に、第１容器１１と第２容器１２が閉じた状態（図１（Ａ）及び図１（Ｂ）を参照）で設置される。設置された収容ボックス１０は、シリンダー外縛り錠１４に対して前記施錠操作が施されているため、第１容器１１と第２容器１２は開けられない。また、収容ボックス１０の設置方法としては、収容ボックス１０の第１容器１１に取り付けた２個の木ネジに吊り下げ紐を掛け渡して当該吊り下げ紐を壁面に取り付けたフックに吊り下げる方法や、収容ボックス１０の第１容器１１を２個以上のＬ字形ブラケットを用いて壁面に取り付ける方法等、種々の方法が採用できる。
【００２４】
図２に例示した服薬カレンダー２０-1、２０-2又は２０-3への薬の配置、即ち、各薬配置部２３への薬の配置は薬剤師が行う。図２（図３も同様）には、図示の便宜上、１つの薬配置部２３のみに袋入りの薬ＭＥが配置されている様子を示してあるが、他の薬配置部２３にも服薬曜日と服薬タイミングに応じた袋入りの薬ＭＥが配置される。一度に服用すべき薬ＭＥが複数種類である場合には、薬ＭＥを種類別に入れた複数の袋（好ましくは中身を透視できる透明又は半透明の袋）を配置する方法、或いは、薬ＭＥ全てを入れた１つの袋（好ましくは中身を透視できる透明又は半透明の袋）を配置する方法が望ましい。
【００２５】
患者本人の服薬管理能力が低い場合、薬が配置された後の服薬カレンダー２０-1、２０-2又は２０-3は患者以外の者（家族、介護福祉士又はホームヘルパー）に手渡しされる。前記収容ボックス１０は第１容器１１に服薬カレンダー収容用の凹部１１ｃを有し、且つ、第２容器１２も服薬カレンダー収容用の凹部１２ｃを有するため、患者以外の者は、最初の段階で少なくとも２枚（１週間分×２）の服薬カレンダー２０-1、２０-2又は２０-3を受け取ることになる。  
【００２６】
図２（Ａ）に例示した服薬カレンダー２０-1を受け取った場合、患者以外の者は、収容ボックス１０のシリンダー外縛り錠１４に対して前記解錠操作を施してから第１容器１１と第２容器１２を図１（Ｃ）のように開き、凹部１１ｃ及び凹部１２ｃそれぞれに設けられている２個のネジ付きフック１５に服薬カレンダー２０-1の２個の吊り下げ穴２４を引っかけるようにして、凹部１１ｃに１枚の服薬カレンダー２０-1を収容すると共に凹部１２ｃにもう１枚の服薬カレンダー２０-1を収容する（図３を参照）。服薬カレンダー２０-1の２個の吊り下げ穴２４の位置が、第１容器１１と第２容器１２それぞれの２個のネジ付きフック１５の位置と合わないときには、各ネジ付きフック１５の取り付け位置を変更してから前記収容を行う。
【００２７】
また、図２（Ｂ）に例示した服薬カレンダー２０-2を受け取った場合、患者以外の者は、収容ボックス１０のシリンダー外縛り錠１４に対して前記解錠操作を施してから第１容器１１と第２容器１２を図１（Ｃ）のように開き、凹部１１ｃ及び凹部１２ｃそれぞれに設けられている２個のネジ付きフック１５に服薬カレンダー２０-2の吊り下げ紐２５を引っかけるようにして、凹部１１ｃに１枚の服薬カレンダー２０-2を収容すると共に凹部１２ｃにもう１枚の服薬カレンダー２０-2を収容する。服薬カレンダー２０-2の吊り下げ紐２５が長くて、服薬カレンダー２０-2の下部が凹部１１ｃ及び凹部１２ｃそれぞれから下側にはみ出てしまうときには、各ネジ付きフック１５の取り付け位置を変更してから、或いは、吊り下げ紐２５を短くしてから前記収容を行う。
【００２８】
さらに、図２（Ｃ）に例示した服薬カレンダー２０-3を受け取った場合、患者以外の者は、収容ボックス１０のシリンダー外縛り錠１４に対して前記解錠操作を施してから第１容器１１と第２容器１２を図１（Ｃ）のように開き、凹部１１ｃ及び凹部１２ｃそれぞれに設けられている２個のネジ付きフック１５を一旦外し、吊り下げ片２６の吊り下げ穴２６ａの位置に合うように凹部１１ｃ及び凹部１２ｃそれぞれに１個のネジ付きフック１５を取り付けてから、各１個のネジ付きフック１５に服薬カレンダー２０-3の１個の吊り下げ穴２６ａを引っかけるようにして、凹部１１ｃに１枚の服薬カレンダー２０-3を収容すると共に凹部１２ｃにもう１枚の服薬カレンダー２０-3を収容する。
【００２９】
凹部１１ｃ及び凹部１２ｃそれぞれへの服薬カレンダー２０-1、２０-2又は２０-3の収容が完了した後、患者以外の者は、収容ボックス１０の第１容器１１と第２容器１２を図１（Ａ）のように閉じてからシリンダー外縛り錠１４に対して前記施錠操作を施して、第１容器１１と第２容器１２を開けられないようにする。
【００３０】
患者以外の者は、服薬曜日毎の服薬タイミングを把握しておき、服薬タイミングになったときに、収容ボックス１０のシリンダー外縛り錠１４に対して前記解錠操作を施してから第１容器１１と第２容器１２を図３のように開く。続いて、患者以外の者は、服薬曜日と服薬タイミングを確認した上で、該当する薬配置部２３から袋入りの薬ＭＥを取り出す。続いて、患者以外の者は、袋を開けて薬ＭＥを取り出し、取り出した薬ＭＥを患者に手渡して服用を促す。薬配置部２３から取り出した袋入りの薬ＭＥを袋のまま患者に手渡しして、患者に対して袋を開けて薬を取り出すことを服用と併せて促すようにしても良いが、袋ごと服用される危険性があるような患者には細心の注意が必要である。
【００３１】
患者以外の者は、該当する薬配置部２３から袋入りの薬ＭＥを取り出した後、或いは、患者が決められた薬ＭＥ全てを服用したことを確認した後に、収容ボックス１０の第１容器１１と第２容器１２を図１（Ａ）及び図１（Ｂ）のように閉じてからシリンダー外縛り錠１４に対して前記施錠操作を施して、第１容器１１と第２容器１２を開けられないようにする。以後も、患者以外の者は、服薬タイミングになった都度、前述の手順を繰り返し実行する。
【００３２】
また、患者以外の者は、服薬タイミングにおいて第１容器１１と第２容器１２を図３のように開く度に、２枚の服薬カレンダー２０-1、２０-2又は２０-3における薬ＭＥの残量を併せて確認し、少なくとも一方の服薬カレンダー２０-1、２０-2又は２０-3における薬ＭＥの残量が零になったときに、使用済みの服薬カレンダー２０-1、２０-2又は２０-3を未使用の服薬カレンダー２０-1、２０-2又は２０-3に交換する作業を行う。この交換作業は、服薬タイミングにおいて第１容器１１と第２容器１２を開いたときに行う他、服薬タイミングとは別のタイミングで行うようにしても良い。
【００３３】
次に、前記収容ボックス１０によって得られる効果について説明する。
【００３４】
（１）前記収容ボックス１０は、服薬カレンダー（図２を参照）を収容可能な凹部１１ｃを有する木製の第１容器１１、並びに、服薬カレンダー（図２を参照）を収容可能な凹部１２ｃを有する木製の第２容器１２と、第１容器１１と第２容器１２を開閉自在に繋ぎ合わせ、第１容器１１と第２容器１２が閉じた状態で凹部１１ｃ及び凹部１２ｃそれぞれが互いに閉塞されるように、また、第１容器１１と第２容器１２が開いた状態で凹部１１ｃ及び凹部１２ｃそれぞれが開放されるように構成する連結手段（蝶番）１３と、第１容器１１と第２容器１２が閉じた状態で第１容器１１と第２容器１２を開けられないようにするための錠手段（シリンダー外縛り錠）１４と、第１容器１１の凹部１１ｃと第２容器１２の凹部１２ｃそれぞれに服薬カレンダー（図２を参照）を着脱自在に吊り下げるための吊り下げ手段（ネジ付きフック）１５とを備えている。
【００３５】
即ち、第１容器１１と第２容器１２が何れも木製であり、しかも、錠手段（シリンダー外縛り錠）１４によって第１容器１１と第２容器１２を開けられないようにできるため、錠手段（シリンダー外縛り錠）１４によって施錠を施しておけば、服薬管理能力が低い患者（例えば高齢である患者や認知症を患っている患者等）が服薬タイミング以外で第１容器１１と第２容器１２を開けて薬を服用する行為を阻止できる。加えて、収容ボックス１０を杖等の硬質器具で殴打し破壊して薬を取り出そうとしても、第１容器１１と第２容器１２がこのような殴打によって簡単に割れない木製であるため、服薬タイミング以外で収容ボックス１０を破壊して薬を無理矢理取り出す行為も阻止できる。
【００３６】
つまり、服薬カレンダーに配置されている薬を服薬タイミングに拘わらずに続けて服用してしまう、所謂重ね飲みを確実に防げるため、重ね飲みによって患者の身体に異常を生じる危険や患者が意識不明の重体に陥る危険等を未然に防止できる。換言すれば、前記収容ボックス１０を使用すれば、患者本人の服薬管理能力が低い場合でも、服薬カレンダーの利点を生かしつつ患者以外の者（家族、介護福祉士又はホームヘルパー）が服薬管理を適切に補助できる。
【００３７】
また、第１容器１１が服薬カレンダー収容用の凹部１１ｃを有し、且つ、第２容器１２も服薬カレンダー収容用の凹部１２ｃを有しているため、凹部１１ｃに１枚の服薬カレンダー（図２を参照）を収容できると共に凹部１２ｃにもう１枚の服薬カレンダー（図２を参照）を収容できる。即ち、収容ボックス１０に２枚（１週間分×２）の服薬カレンダーを収容できるため、使用済みの服薬カレンダーを未使用の服薬カレンダーに交換する頻度を低下させて、服薬管理の補助を行う患者以外の者（家族、介護福祉士又はホームヘルパー）の交換に係る負担を軽減できる。
【００３８】
さらに、第１容器１１と第２容器１２が連結手段（蝶番）１３によって開閉自在に繋ぎ合わされているため、第１容器１１と第２容器１２が開いた状態における服薬カレンダー（図２を参照）からの薬の取り出しを容易に行える他、服薬曜日と服薬タイミングの確認や薬の残量確認を容易に行える。
【００３９】
（２）前記収容ボックス１０は、錠手段（シリンダー外縛り錠）１４が、回転自在で進退自在なネジ部１４ａ２を有する錠本体１４ａと、錠本体１４ａのネジ部１４ａ２をねじ込み可能なネジ穴１４ｂ１を有する受け金具１４ｂとを備えている。即ち、錠手段（シリンダー外縛り錠）１４に対する解錠にはかなりの力と時間を要するため、万が一患者が鍵を手にいれたとしても当該患者が非力な場合や手先が器用でない場合には解錠を行うことが極めて難しい。つまり、錠手段（シリンダー外縛り錠）１４として敢えて解錠し難いものを用いることによって、第１容器１１と第２容器１２を開けて薬を服用する前記行為をより確実に阻止できる。
【００４０】
（３）前記収容ボックス１０は、吊り下げ手段１５が第１容器１１の凹部１１ｃと第２容器１２の凹部１２ｃそれぞれの内面に着脱自在に取り付けられたネジ付きフックである。ネジ付きフックは木製の第１容器１１と第２容器１２に対する着脱が容易であるため、服薬カレンダー（図２を参照）を第１容器１１の凹部１１ｃと第２容器１２の凹部１２ｃそれぞれに収容するときにネジ付きフックの位置を変更する必要が生じた場合でも、この位置変更に追従できる。
【００４１】
次に、図４を用いて、前記収容ボックス１０の第１変形例について説明する。この第１変形例は、図１に示した吊り下げ手段（ネジ付きフック）１５を、別の吊り下げ手段１６に変えたものである。なお、図４（Ａ）には第１容器１１の凹部１１ｃの内面に吊り下げ手段１６を設けた様子を示してあるが、第２容器１２にも同様の吊り下げ手段１６が設けられている。
【００４２】
吊り下げ手段１６は、凹部１１ｃの内面に取り付けられたレール部品１６ａと、レール部品１６ａに該レール部品１６ａに沿って移動自在に設けられたフック１６ｂ１付きのスライド部品１６ｂ（図中は２個）とを備えている。レール部品１６ａは全体が横長で、断面形が略矩形状の直線通路１６ａ１を内部に有し、一面に通路１６ａ１と連通する横長の露出孔１６ａ１を有しており、その両端を木ネジ（符号無し）によって凹部１１ｃの内面に取り付けられている。一方、スライド部品１６ｂは、レール部品１６ａの直線通路１６ａ１を移動可能な態様を成していて、一体に設けられたフック１６ｂ１の一部を露出孔１６ａ１から外部に突出している。即ち、２個のフック１６ｂ１付きのスライド部品１６ｂは、レール部品１６ａに沿って移動できる。
【００４３】
第１変形例の吊り下げ手段１６は、２個のフック１６ｂ１付きのスライド部品１６ｂをレール部品１６ａに沿って任意に移動できる構造にあるため、服薬カレンダー（図２を参照）を第１容器１１の凹部１１ｃと第２容器１２の凹部１２ｃそれぞれに収容するときにフック１６ｂ１の位置を変更する必要が生じた場合でも、スライド部品１６ｂの移動することによってフック１６ｂ１の位置変更を簡単に行える。なお、レール部品１６ａに設けられたスライド部品１６ｂの数は３個以上であっても良く、レール部品１６ａを凹部１１ｃ及び凹部１２ｃそれぞれの内面の最も上、具体的には矩形枠部１１ｂ及び１２ｂそれぞれの上側部分の内側に下向きに取り付けても良い。また、フック１６ｂ１の形状はＬ字形の他、Ｃ字形やコ字形等の他の形状であっても良い。
【００４４】
次に、図５を用いて、前記収容ボックス１０の第２変形例について説明する。この第２変形例は、図１に示した吊り下げ手段（ネジ付きフック）１５を、別の吊り下げ手段１７に変えたものである。なお、図５（Ａ）には第１容器１１の凹部１１ｃの内面の上部に幅方向に間隔をおいて２個の吊り下げ手段１７を設けた様子を示してあるが、第２容器１２にも同様の吊り下げ手段１７が凹部１１ｃの内面の上部に幅方向に間隔をおいて２個設けられている。
【００４５】
吊り下げ手段１７は、長孔１７ａ１を有し一端にフック１７ａ２を有する可動プレート１７と、長孔１７ａ１に挿入された状態で可動プレート１７ａを凹部１１ｃの内面に取り付けるためのネジ部品１７ｂとを備えており、ネジ部品１７ｂを緩めることによって可動プレート１７ａの位置及び向きを変更できるように構成されている。可動プレート１７は全体が横長で、その幅方向中央に長孔１７ａ１を有し、長孔１７ａ１が形成されていない一端部にフック１７ａ２を有している。一方、ネジ部品１７ｂは木ネジであり、可動プレート１７ａに挿入可能で、且つ、そのネジ部を凹部１１ｃの内面にねじ込むことによって可動プレート１７ａを凹部１１ｃの内面に固定できる。つまり、ネジ部品１７ｂを緩めて可動プレート１７ａを左右方向に移動させたり回転させることにより、可動プレート１７ａの位置及び向きを変更できる。
【００４６】
第２変形例の吊り下げ手段１７は、フック１７ａ２を有する可動プレート１７ａの位置及び向きを任意に変更できる構造にあるため、服薬カレンダー（図２を参照）を第１容器１１の凹部１１ｃと第２容器１２の凹部１２ｃそれぞれに収容するときにフック１７ａ２の位置を変更する必要が生じた場合でも、可動プレート１７ａの位置及び向きの変更することによってフック１７ａ２の位置変更に簡単に行える。また、可動プレート１７ａの位置及び向きを変更することによってフック１７ａ２の位置を二次元的に変更できるため、フック１７ａ２の位置変更をより広い範囲で行える。なお、ネジ部品１７ｂとして木ネジの代わりに蝶ネジを用いれば、工具を用いることなく、指先によって蝶ネジの締め付け及び緩めを行える。また、フック１７ａ２としてＬ字形のものを図示したが、可動プレート１７ａの向き変更量（傾き）が大きく取れる場合には、フックの形をＣ字形やコ字形に変えて、傾きが大きくなっても吊り下げに支障が生じないようにすると良い。
【００４７】
次に、図６を用いて、前記収容ボックス１０の第３変形例について説明する。この第３変形例は、服薬カレンダー保持用の弾性保持板１８を第２の連結手段１９を用いて収容ボックス１０内に回転自在に配置したものである。
【００４８】
弾性保持板１８は、第１容器１１と第２容器１２が閉じた状態で凹部１１ｃ及び凹部１２ｃそれぞれに挿入可能なものであって、輪郭が略矩形状で、外力付加による変形と付加解除による復元を可能とした弾性材から形成されている。この弾性材には特段の材質制限はなく、低反発性や高反発性の別も問わないが、合成樹脂系スポンジや合成ゴム系スポンジが好ましく使用できる。この弾性保持板１８の厚さは、凹部１１ｃの深さＤ１１ｃ（図１（Ｂ）を参照）と凹部１２ｃの深さＤ１２ｃ（図１（Ｂ）を参照）との和よりも僅かに小さな寸法、或いは、当該和と略同じ寸法となっている。また、弾性保持板１８の高さは、凹部１１ｃの高さＨ１１ｃ（図１（Ｃ）を参照）と凹部１２ｃの高さＨ１２ｃ（図１（Ｃ）を参照）それぞれよりも小さな寸法となっている。さらに、弾性保持板１８の幅は、凹部１１ｃの幅Ｗ１１ｃ（図１（Ｃ）を参照）と凹部１２ｃの幅Ｗ１２ｃ（図１（Ｃ）を参照）それぞれよりも僅かに小さな幅、或いは、各幅Ｗ１１ｃ及びＷ１２ｃと略同じ寸法となっている。弾性保持板１８の高さを凹部１１ｃの高さＨ１１ｃと凹部１２ｃの高さＨ１２ｃそれぞれよりも小さな寸法とした理由は、各吊り下げ手段１５との接触による損傷を避けるためであるが、弾性保持板１８の材質等の関係から接触しても損傷を生じない場合や生じ難い場合には、弾性保持板１８の高さを凹部１１ｃの高さＨ１１ｃと凹部１２ｃの高さＨ１２ｃそれぞれと略同じにしてもよい。
【００４９】
第２の連結手段１９は、図６（Ｂ）及び図６（Ｃ）に示したように、弾性保持板１８を第１容器１１と第２容器１２の少なくとも一方に回転自在に繋ぎ、第１容器１１と第２容器１２が閉じた状態で凹部１１ｃ及び凹部１２ｃそれぞれに弾性保持板１８が挿入されるように、また、第１容器１１と第２容器１２が開いた状態で凹部１１ｃ及び凹部１２ｃの一方に弾性保持板１８を挿入できるように構成するためのものであり、当該第２の連結手段１９としては、図６に示したような柔軟シート（以下、柔軟シート１９とも言う）、例えば柔軟性のある布や不織布やフェルトや合成樹脂フィルムを用いることが好ましい。図６にあっては、弾性保持板１８よりも高さ寸法が小さい矩形輪郭の柔軟シート１９の一辺１９ａが弾性保持板１８の幅方向一面に接着剤又はネジ（図示省略）を用いて取り付けられ、他辺１９ｂが第１容器１１と第２容器１２の隙間を通じて外部に引き出されて第１容器１１と第２容器１２の一方の外面に接着剤又はネジ（図示省略）を用いて取り付けられている。
【００５０】
第３変形例では、第１容器１１と第２容器１２が閉じた状態（図６（Ｂ）を参照）で凹部１１ｃ及び凹部１２ｃそれぞれに弾性保持板１８が挿入されるようになっているため、弾性保持板１８自らの弾性変形に基いて、凹部１１ｃ及び凹部１２ｃそれぞれに収容されている服薬カレンダー（図３を参照）を押さえ付けて保持することができる。即ち、服薬カレンダー（図２を参照）が収容され閉じられている収容ボックス１０を移動させるとき、例えば当該収容ボックス１０の設置位置を変えるときや、当該収容ボックス１０を車両に搭載して搬送するとき等において、振動や衝撃等を原因として、服薬カレンダーの各薬配置部から袋入りの薬が飛び出して、後の使用ができなくなってしまうことや、服薬カレンダーが吊り下げ手段１５から外れて、当該服薬カレンダーから袋入りの薬が飛び出してしまうことを確実に防止できる。
【００５１】
また、第３変形例では、第１容器１１と第２容器１２が開いた状態（図６（Ｃ）を参照）で、第２の連結手段（柔軟シート）１９に回転自在に繋がれた弾性保持板１８を適宜回転させて凹部１１ｃ及び凹部１２ｃの一方に挿入できるようになっている。即ち、凹部１１ｃ及び凹部１２ｃそれぞれに服薬カレンダー（図２を参照）が収容されてる状態で、弾性保持板１８を図６（Ｃ）において左右に回転させ、当該弾性保持板１８を凹部１１ｃ及び凹部１２ｃの一方に挿入することによって、使用済の服薬カレンダーや使用していない方の服薬カレンダーを弾性保持板１８により目隠しすることができる他、使用中の服薬カレンダーの各薬配置部から袋入りの薬を取り出すときに弾性保持板１８が邪魔になることも回避できる。
【符号の説明】
【００５２】
１０…服薬カレンダー用収容ボックス、１１…第１容器、１１ｃ…凹部、１２…第２容器、１２ｃ…凹部、１３…連結手段（蝶番）、１４…錠手段（シリンダー外縛り錠）、１４ａ…錠本体、１４ａ２…ネジ部、１４ｂ…受け金具、１４ｂ１…ネジ穴、１５…吊り下げ手段（ネジ付きフック）、１６…吊り下げ手段、１６ａ…レール部品、１６ｂ…スライド部品、１６ｂ１…フック、１７…吊り下げ手段、１７ａ…可動プレート、１７ａ１…長孔、１７ａ２…フック、１７ｂ…ネジ部品、１８…弾性保持板、１９…第２の連結手段（柔軟シート）、２０-1，２０-2，２０-3…服薬カレンダー。
【図１】
2017121399.tif 000003
【図２】
2017121399.tif 000004
【図３】
2017121399.tif 000005
【図４】
2017121399.tif 000006
【図５】
2017121399.tif 000007
【図６】
2017121399.tif 000008
【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
服薬曜日と曜日毎の服薬タイミングとが視認できるように薬が配置された服薬カレンダーを収容して服薬管理を補助するための服薬カレンダー用収容ボックスであって、
前記服薬カレンダーを収容可能な凹部を有する木製の第１容器、並びに、前記服薬カレンダーを収容可能な凹部を有する木製の第２容器と、
前記第１容器と前記第２容器を開閉自在に繋ぎ合わせ、前記第１容器と前記第２容器が閉じた状態で前記第１容器の凹部と前記第２容器の凹部それぞれが互いに閉塞されるように、また、前記第１容器と前記第２容器が開いた状態で前記第１容器の凹部と前記第２容器の凹部それぞれが開放されるように構成する連結手段と、
前記第１容器と前記第２容器が閉じた状態で前記第１容器と前記第２容器を開けられないようにするための錠手段と、
前記第１容器の凹部と前記第２容器の凹部それぞれに前記服薬カレンダーを着脱自在に吊り下げるための吊り下げ手段とを備えており、
前記吊り下げ手段は、前記凹部の内面に取り付けられたレール部品と、前記レール部品に該レール部品に沿って移動自在に設けられたフック付きのスライド部品とを備えている、
服薬カレンダー用収容ボックス。
【請求項２】
服薬曜日と曜日毎の服薬タイミングとが視認できるように薬が配置された服薬カレンダーを収容して服薬管理を補助するための服薬カレンダー用収容ボックスであって、
前記服薬カレンダーを収容可能な凹部を有する木製の第１容器、並びに、前記服薬カレンダーを収容可能な凹部を有する木製の第２容器と、
前記第１容器と前記第２容器を開閉自在に繋ぎ合わせ、前記第１容器と前記第２容器が閉じた状態で前記第１容器の凹部と前記第２容器の凹部それぞれが互いに閉塞されるように、また、前記第１容器と前記第２容器が開いた状態で前記第１容器の凹部と前記第２容器の凹部それぞれが開放されるように構成する連結手段と、
前記第１容器と前記第２容器が閉じた状態で前記第１容器と前記第２容器を開けられないようにするための錠手段と、
前記第１容器の凹部と前記第２容器の凹部それぞれに前記服薬カレンダーを着脱自在に吊り下げるための吊り下げ手段とを備えており、
前記吊り下げ手段は、長孔を有し一端にフックを有する可動プレートと、前記長孔に挿入された状態で前記可動プレートを前記凹部の内面に取り付けるためのネジ部品とを備えており、前記ネジ部品を緩めることによって前記可動プレートの位置及び向きを変更できるように構成されている、
服薬カレンダー用収容ボックス。
【請求項３】
前記錠手段は、前記第１容器と前記第２容器の一方に設けられた回転自在で進退自在なネジ部を有する錠本体と、前記第１容器と前記第２容器の他方に設けられ前記ネジ部をねじ込み可能なネジ穴を有する受け金具とを備えている、
請求項１又は２に記載の服薬カレンダー用収容ボックス。
【請求項４】
前記第１容器と前記第２容器が閉じた状態で前記第１容器の凹部と前記第２容器の凹部それぞれに挿入可能な、服薬カレンダー保持用の弾性保持板と、
前記弾性保持板を前記第１容器と前記第２容器の少なくとも一方に回転自在に繋ぎ、前記第１容器と前記第２容器が閉じた状態で前記第１容器の凹部と前記第２容器の凹部それぞれに前記弾性保持板が挿入されるように、また、前記第１容器と前記第２容器が開いた状態で前記第１容器の凹部と前記第２容器の凹部の一方に前記弾性保持板を挿入できるように構成する第２の連結手段とをさらに備えている、
請求項１〜３の何れか１項に記載の服薬カレンダー用収容ボックス。